(57)【要約】  本発明は、チップカード用収容ユニットに関し、係止手段を有しており、係止手段がチップカード（１８）の運動平面に平行に運動可能である。個別に係止部材（２４，２５）を設けてあり、該係止部材が、カードホルダー（２６）と該カードホルダー上に支承された制御スライダー（４７）との間に運動可能に支承されている。この場合、係止部材（２４，２５）に設けられた連行ピン（５８，５９）が、制御スライダー（４７）に形成された滑子案内（５０，５１）内に係合している。係止部材（２４，２５）の端部（４２，４３）が適切に、有利にはフック状に曲げられて、読み取り若しくは書き込み位置にあるチップカード（１８）の端面を取り囲むようになっている。
2005510784.tif 000002
【特許請求の範囲】
【請求項１】
チップカード用収容ユニットであって、チップカードの案内のためのカードホルダー及び収容ユニット内へのチップカードの差し込みの際にチップカードによって作動可能な係止手段を備えている形式のものにおいて、
カードホルダー（２６）に、チップカード（１８）によって移動可能なプレート状の制御スライダー（４７）を支承してあり、制御スライダー（４７）が、カードホルダー（２６）に支承された少なくとも１つの係止部材（２４若しくは２５）と係合しており、係止部材（２４若しくは２５）が、制御スライダー（４７）の運動平面に対して平行な平面内を運動可能であり、かつ一体成形された舌片で以てチップカード（１８）の運動平面内に係合するように形成されかつ支承されていることを特徴とする、チップカード用収容ユニット。
【請求項２】
係止部材（２４若しくは２５）がほぼ扁平な構成部分から成っており、該構成部分の一方の端部に舌片を一体成形してあり、係止部材（２４若しくは２５）にカードホルダー（２６）への支承のための手段を設けてあり、係止部材（２４若しくは２５）が連行ピン（５８若しくは５９）を備えており、該連行ピンに対応して、制御スライダー（４７）に形成された滑子案内（５０若しくは５１）が配置されている請求項１記載のチップカード用収容ユニット。
【請求項３】
２つの係止部材（２４，２５）を設けてあり、制御スライダー（４７）内に形成して各係止部材（２４，２５）に対応して配置された滑子案内（５０，５１）が、係止部材（２４，２５）を制御スライダー（４７）の運動に際して互いに逆向きに運動させるように形成されている請求項１記載のチップカード用収容ユニット。
【請求項４】
係止部材（２４，２５）がカードホルダー（２６）と制御スライダー（４７）との間で、カードホルダー（２６）に設けられた切欠き部（７０，７１）内に旋回可能に支承され、若しくは制御スライダー（４７）の運動方向に対して横方向に移動可能に移動可能に支承されている請求項１記載のチップカード用収容ユニット。
【請求項５】
各係止部材（２４，２５）に対応してばね部材が配置されている請求項１記載のチップカード用収容ユニット。
【請求項６】
ほぼＵ字形の脚ばね（６８）を設けてあり、該脚ばね（６８）がカードホルダー（２６）に取り付けられており、脚ばね（６８）の脚部がカードホルダー（２６）の切欠き部（７０，７１）内に係合している請求項５記載のチップカード用収容ユニット。
【請求項７】
係止部材（２４，２５）の一方の端部（４２，４３）がフック状に形成されていて、読み取り若しくは書き込み位置のチップカード（１８）の端面を取り囲むようになっている請求項１記載のチップカード用収容ユニット。
【請求項８】
各係止部材（２４，２５）が、連行ピン（５８，５９）の逆側に設けられた案内ピン（６０，６１；６２，６３）を備えており、該案内ピン（６０，６１；６２，６３）に対応してカードホルダー（２６）に溝（６１４，６５；６６，６７）が形成されており、該溝によって係止部材（２４，２５）が制御スライダー（４７）の運動方向に対して横方向に運動可能である請求項４記載のチップカード用収容ユニット。
【請求項９】
カードホルダー（２６）上への制御スライダー（４７）の組み付け及び支承のために、バイヨネット式結合手段（５６，７４；５７，７５）が設けられている請求項１記載のチップカード用収容ユニット。
【請求項１０】
カードホルダー（２６）に、カードホルダー（２６）と制御スライダー（４７）との間の結合部を生ぜしめるばね弾性的な少なくとも１つのつめ（４５，４６）が形成されている請求項９記載のチップカード用収容ユニット。
【請求項１１】
制御スライダー（４７）内に、カードホルダー（２６）とのバイヨネット式結合に役立つ少なくとも１つの開口（５６，５７）が、係止部材（２４，２５）に対応して配置されて鏡面対称的に設けられた滑子案内（５０，５１）間のほぼ中央の位置に形成されている請求項９記載のチップカード用収容ユニット。
【請求項１２】
係止部材（２４，２５）に対応して配置された滑子案内（５０，５１）が、係止部材（２４，２５）のフック状に形成された端部（４２，４３）を、脚ばね（６８）の作用下で読み取り若しくは書き込み位置のチップカード（１８）の端面に接触させるように形成されている請求項２記載のチップカード用収容ユニット。
【請求項１３】
カードホルダー（２６）に対応して配置されたバイヨネット式結合手段（７４，７５）が、制御スライダー（４７）の運動方向に対して横方向の断面で見てＴ字形の支承ジャーナルとして形成されている請求項９記載のチップカード用収容ユニット。
【請求項１４】
制御スライダー（４７）内に、制御スライダー（４７）の運動の方向に一列に並べられた２つの開口（５６，５７）が設けられており、該開口（５６，５７）に適合したＴ字形の支承ジャーナル（７４，７５）がカードホルダー（２６）に形成されている請求項１１記載のチップカード用収容ユニット。
【請求項１５】
滑子案内（５０，５１）が、制御スライダー（４７）を取り出し位置若しくは差し込み位置で係止可能であるように形成されている請求項２記載のチップカード用収容ユニット。
【請求項１６】
一方でカードホルダー（２６）と制御スライダー（４７）との間、並びに他方で係止部材（２４，２５）の案内及び駆動手段（６０，６１／６４，６５／７０及び５０，５８若しくは６２，６３／６６，６７／７１及び５１，５９）間のバイヨネット式結合手段（５６，７４；５７，７５）が、次のように形成されており、即ちチップカード（１８）が読み取り若しくは書き込み位置でストッパに当接した状態で制御スライダー（４７）が脚ばね（６８）の作用を受けて所定の行程を行うようになっている請求項５記載のチップカード用収容ユニット。
【発明の詳細な説明】
【技術分野】
【０００１】
本発明は、チップカード用収容ユニットであって、チップカードの案内のためのカードホルダー及び収容ユニット内へのチップカードの差し込みの際にチップカードによって作動可能な係止手段を備えている形式のものに関する。
【０００２】
チップカードを例えば営業用自動車のドライバーの個人的な作業時間と休憩時間の検出のために用いる場合には、該記録の証拠価値に関連して、データ検出装置とチップカードとの間のデータ伝送に対するごまかしの意図をもって行われる干渉を避けるための確実な保証が必要である。スペース状態は、特にドライバーの知覚領域における構成高さに関して営業用自動車では著しく制限されており、安全手段がチップカードのための適当な収容ユニットを含むタコグラフ内になく、また独立のチップカードユニットとしての構造でもない場合には、比較的大きな搬送距離若しくはチップカードの搬送中の方向転換が必要である。チップカードを手動で、それもチップカードの読み取り及び／又は書き込み位置内のストッパに当接するまで差し込む、若しくは自動的な搬送のために短い搬送距離にわたってのみ差し込む場合に、収容ユニット内にあるチップカードをフロント側から操作できないようにロックするための安全手段が設けられねばならない。特に読み取り及び／又は書き込み位置までのチップカードの差し込みをもっぱら手動で行う場合には、タコグラフのフロント面若しくは独立のチップカードユニットの組み込まれた類似の装置或いは構成壁のフロント面に関連して、差し込むべきチップカードのための十分に深い凹み部が必要であり、かつ相応に適当な差し込み凹所が設けられねばならない。さらに例えば自動車の運転台における取り付け状態並びにスペース状態は、差し込み凹所をできるだけ広く形成して、チップカードの差し込みを、差し込み凹所の直接的に見ながらではなく、即ち触感的に位置決めして行えるようになっていたい。この場合の条件として、チップカードに対応して収容ユニットに配置された案内部の位置に対してわずかに傾いた状態でチップカードを差し込んだ場合にも、安全手段との衝突に基づく機能障害が避けられていなければならない。
【０００３】
冒頭に述べた形式の公知のチップカード用収容ユニットにおいては、差し込むべきチップカードによって、チップカードのまだ十分に案内されていない差し込み状態で係止部材を持ち上げ、若しくは係止に役立つ蓄力器を負荷するようになっており、従ってチップカードの差し込みは注意深く行われねばならない。このようなチップカード用収容ユニットは、チップカードのブラインド差し込み（blind introduction）をも意図する使用にとって適していない。さらに、公知の収容ユニットにおいて差し込まれたチップカードを確実につかむために設けられて収容ユニットの垂直軸の方向で移動可能若しくは旋回可能なロック部材若しくはフラップは、比較的に大きな構成スペース並びに高い製造及び組み立て費用を必要とする。高い製造及び組み立て費用は、できるだけ簡単かつ経済的に大量生産される構成部分を必要とする営業用自動車にチップカードを使用する場合には許容されるものではない。
【０００４】
従って本発明の課題は、前述の大量生産に関連してチップカード用収容ユニットを改善して、該チップカード用収容ユニットが営業用自動車内での使用のためにも十分に頑丈で、確実な機能及び操作に対する安全性を提供し、さらに特にチップカードの簡単かつ支障のない差し込みを可能にすることである。
【０００５】
前記課題を解決するために本発明の構成では、カードホルダーに、チップカードによって移動可能なプレート状の制御スライダーを支承してあり、該制御スライダーが、カードホルダーに支承された少なくとも１つの係止部材と係合し、即ち運動伝達可能に連結しており、この場合に係止部材が、制御スライダーの運動平面に対して平行な平面内を運動可能であり、かつ一体成形された舌片で以てチップカードの運動平面内に係合するように形成されかつ支承されている。
【０００６】
本発明の実施態様では、係止部材がほぼ扁平な構成部分から成っており、該構成部分の一方の端部に舌片を一体成形してあり、係止部材にカードホルダーへの支承のための手段を設けてあり、係止部材が連行ピンを備えており、該連行ピンが、該連行ピンに対応して制御スライダーに形成された滑子案内内に案内されている。
【０００７】
有利な実施態様では、２つの係止部材を設けてあり、制御スライダー内に形成されて前記各係止部材に対応して配置された滑子案内が、係止部材を制御スライダーの運動に際して互いに逆向きに運動させるように形成されており、さらに係止部材の一方の端部がフック状に形成されていて、読み取り若しくは書き込み位置のチップカードの端面を取り囲むようになっており、各係止部材が、連行ピンの逆側に設けられた案内ピンを備えており、該案内ピンに対応してカードホルダーに溝が形成されており、該溝によって係止部材が制御スライダーの運動方向に対して横方向に運動可能である。
【０００８】
本発明のさらに有利な構成が従属請求項並びに図示の実施例に示してある。
【０００９】
本発明の利点として、操作が簡単であり、即ち少なくとも収容ユニット内へのチップカードの差し込み段階で、摩擦に基づく必要に応じて調節可能なわずかな操作力若しくは操作抵抗しか必要とせず、差し込むべきチップカードを所属のカードシャフト内に十分に良好に案内した場合に初めて閉鎖方向での係止部材の作動が行われ、このために比較的高い操作力が必要とされる。係止部材に対応して配置されていて制御スライダー及び係止部材を終端位置で保持及び振動防止するために役立つ脚ばねは、係止機能のために必ずしも必要とされるものではないものの、閉鎖過程を助成している。さらに付言すると、チップカード用収容ユニットの開放位置のロックのために制御スライダーに対応して例えばボール式係止機構を配置してよく、係止部材の案内のための溝は、係止部材をストッパに当接した状態にあるチップカードの端面に向けて旋回させるように形成されている。
【００１０】
本発明のさらなる利点として、チップカード・差し込み平面に平行な平面での係止部材の運動に基づき、最小の構成高さが、特に係止部材をカードホルダー内に沈み込むように支承してあり、かつ制御スライダーをカードホルダーに対応して実質的に遊びなく配置してある場合に達成される。さらに、係止部材の本発明に基づく配置及び機能によって、チップカード用収容ユニットのカードシャフト内へのチップカードの衝突のない差し込みが可能であり、比較的長い差し込み凹所が、閉鎖位置で係止部材に自由にアクセスしてしまうおそれなしに達成される。操作に関連して係止部材は、差し込まれたチップカードをフック状に取り囲みかつ、係止部材をカードホルダー内に２カ所で、即ち回転することなく移動可能に支承ししていて、外部からの移動の試みに際してセルフロック機能を生ぜしめるように形成されていると有利である。もちろん本発明は、１つの係止部材だけでも、操作に対する安全性は低くなるものの実施可能であり、はさみ状若しくはペンチ状に運動する係止部材を用いることも考えられる。比較的長い差し込み凹所は、案内スリットを直接に見ることなしに片手でのチップカードの差し込みを可能にする。さらに重要な点として、チップカード用収容ユニットは比較的少数のかつ良好に再現可能な構成部分から成っており、これらの構成部分の組み立てはもっぱら接合結合によって行われ、例えば係止部材は、カードホルダー内に設けられた切欠き部若しくは凹設部内にはめ込まれて支承され、次いで制御スライダーを装着するだけで確実に機能するようになる。
【００１１】
さらに付言すると本発明に基づく係止部材は、チップカードを読み取り若しくは書き込み位置へ自動的に搬送するチップカード用収容ユニット内にも、適切な変更によって使用され得るものである。
【００１２】
さらに前述の操作力に関連して述べると、本発明に基づく構成ではばね脚部の応力は、チップカードの差し込みに際してではなく、読み取り若しくは書き込み位置から取り出し位置内にあるチップカードを取り出し位置へ移動させる際に生ぜしめられるようになっており、この場合に、モータによって作動可能な押し棒はキー操作に基づき制御スライダーと協働するようになっている。
【００１３】
次に本発明を図示の実施例に基づき詳細に説明する。図面において、
図１は、本発明に基づくチップカード用収容ユニットの組み込まれたタコグラフの正面図であり、
図２は、チップカード用収容ユニットの斜視図であり、
図３は、図２のチップカード用収容ユニットを背面若しくは下側から見た分解斜視図であり、
図４は、タコグラフのチップカード用収容ユニットのフロントパネル、プリント回路基板及びベースプレート間の状態を示す部分断面図であり、
図５は、チップカード用収容ユニットの、チップカードが取り出し位置にある状態での下面図であり、
図６は、チップカード用収容ユニットの、チップカードが読み取り若しくは書き込み位置にある状態での下面図である。
【００１４】
図１に示すタコグラフ１の図面には見えない構成ケーシングは、前面をフロントパネル２によって被われている。窓開口３を通して、ディスプレー４の表示を読み取り可能である。さらに複数のキー５，６，７，８をフロントパネル２に配置してある。この場合に、キー５，８はドライバー及び運転助手からの指令のために用いられ、キー６，７はキー５，８と組み合わせられて特に各ドライバー及び運転助手に割り当てられたチップカードの放出のために用いられる。診断目的に用いられるプラグソケットは、カバー９によって閉鎖されている。フロントパネル２に設けられていて部分的に漏斗状に形成された案内スリット１０，１１は、タコグラフ１の構成ケーシング内に設けられて有利にはプリント回路基板１２（図６）に対応して配置されたチップカード用収容ユニット１３（図２）内へドライバー及び運転助手によってチップカードを挿入する際に挿入位置決め案内に役立つものである。フロントパネル２のビード状の突出部１６の切欠き部１４，１５は、差し込み凹所として読み取り及び／又は書き込み位置へのチップカード１７，１８の差し込み案内のために役立っている。スリット１９はタコグラフ１内の記録プリンターの印刷担体の通過のために設けられている。キー２０は印刷開始のために用いられる。鉛封印２１は構成ケーシングにおけるフロントパネル２のねじ結合部を保証している。さらに図１には、チップカード用収容ユニット１３に支承されていてチップカード１７，１８の前へ旋回させられた係止部材２２，２３，２４，２５が示してある。
【００１５】
図２から明らかなように、各チップカード用収容ユニット１３はカードホルダー２６を有しており、カードホルダーに例えばプリント回路基板１２へのチップカード用収容ユニット１３の取り付けのためのねじピン２７，２８，２９，３０が一体成形されている。符号３１はベースを表しており、符号３２及び３３は、チップカード１８に対応して配置されてカードホルダー２６内に形成された案内部の側壁を表している。本来のカードシャフトは、案内部内に係合するばね弾性的な押さえ付け部材３４によって完成されており、押さえ付け部材には正面側にエース３１と接触する位置決めレール３５を形成してあり、かつ背面側に保持脚部３６，３７を形成してある。押さえ付け部材３４をカードホルダー２６に取り付け若しくは保持するために、カードホルダー２６に支承突出部３８，３９を形成してあり、支承突出部内にロッド４０を受容してあり、ロッドは補強溝４１の備えられた押さえ付け部材３４を支えている。さらに図２に示してあるように、係止部材２４，２５の端部４２，４３はフック状に形成されていて、チップカード用収容ユニット１３内に差し込まれたチップカード１８の正面側に係合するようになっている。１つの係止部材２４に一体成形された耳片４４は、チップカード用収容ユニット１３内のチップカード１８の存在を発信するライトバリアーの構成部分であり、ライトバリアーの光学的なエレメントはプリント回路基板１２に配置されている。つめ４５，４６は直接にカードホルダー２６にばね弾性的に形成されている。つめ４５，４６は、カードホルダー２６に摺動可能に支承された制御スライダー４７（図３）の確保のために役立っており、制御スライダーは、チップカード用収容ユニット１３内に案内されたチップカード１８の運動路内で連行部４８，４９と係合するようになっている。
【００１６】
図３に示してあるように、制御スライダー４７はほぼ１つのプレートによって成形されており、該プレート内には中心線に対して鏡面対称的に滑子案内５０，５１を形成してある。この場合、１つの滑子案内区分５２，５３は中心線に対して平行に延び若しくはわずかにしか傾斜していないのに対して、別の滑子案内区分５４，５５は有利には４５゜の角度を成している。さらに鍵穴状の２つの開口５６，５７を設けてあり、開口は制御スライダー４７の傾きのない支承のために有利には一列に配列して制御スライダー４７の幅に関して中央に形成されている。制御スライダー４７とカードホルダー２６との間に位置する扁平な係止部材２４，２５は、それぞれ１つの滑子案内５０，５１と係合する連行ピン５８，５９を備えている。さらに係止部材２４，２５に案内ピン６０，６１；６２，６３を設けてあり、該案内ピンはカードホルダー２６内に設けられた溝６４，６５；６６，６７に対応して形成されている。符号６８はＵ字形に形成された脚ばねを表しており、該脚ばねの取り付けのためにカードホルダー２６にギャップ６９がくりぬき形成されている。切欠き部７０，７１は、係止部材２４，２５をカードホルダー２６に沈み込み配置するために役立っている。凹所７２はモータ作動可能な押し棒のためのくりぬき部若しくは切欠き部を形成しており、押し棒はチップカード１８の放出の際に制御スライダー４７の中央の付加部７３と係合するようになっている。カードホルダー２６に設けられたＴ字形の支承ジャーナル７４，７５は制御スライダー４７の開口５６，５７と協働して制御スライダーの支承のために役立っている。
【００１７】
次にチップカード用収容ユニット１３の組み立てを説明する。この場合、押さえ付け部材３４の組み立てと制御スライダー４７の組み立ては互いに個別に行われてよく、従って両方の構成部分は互いに個別に交換され得る。制御スライダー４７の組み立てに際して、まず脚ばね６８をカードホルダー２６に形成されたギャップ６９内にはめ込み、かつ必要に応じてかしめ固定する。次いで係止部材２４，２５が切欠き部７０，７１内にルーズにはめ込まれ、この場合、案内ピン６０，６１；６２，６３が各溝６４，６５；６６，６７内に係合され、かつ脚ばね６８の脚部が側方で係止部材２４，２５に接触させられる。次いでカードホルダー２６上への制御スライダー４７のバイヨネット式の装着は、連行部４８，４９をカードホルダー２６に向けて行われ、支承ジャーナル７４，７５が開口５６，５７を介して制御スライダー４７の背後に係合し、かつ係止部材２４，２５の連行ピン５８，５９が滑子案内５０，５１内に係合している。付言すると、カードホルダー２６上への制御スライダー４７の装着に際してつめ４５，４６の旋回が行われる。短い距離での変位の後につめ４５，４６は制御スライダー４７の運動平面内へ戻って係止機能を生ぜしめるようになっており、即ち制御スライダー４７はカードホルダー２６に紛失しないように保持されており、カードホルダー２６と制御スライダー４７との間にルーズに配置された係止部材２４，２５は制御スライダー４７によって運動スペースを規定されている。この場合に、制御スライダー４７の二箇所の支承部５６／７４，５７，７５は次のように形成されており、即ち制御スライダー４７はほぼ遊びなく支承されており、制御スライダー４７の傾倒も排除されている。板ばねとして形成された押さえ付け部材３４の組み立ては、簡単に押さえ付け部材３４をカードホルダー２６上に載せて、ロッド４０を、押さえ付け部材に形成された溝４１に係合させかつ支承突出部３８，３９内に係止することによって行われる。この場合に、支承突出部３８，３９へのアクセスは、支承突出部３８，３９の側方に切欠き成形された導入開口７６，７７によって行われる。
【００１８】
図４には、タコグラフ１のプリント回路基板１２、構成ケーシングのフロントパネル２、及びベースプレート７８とチップカード用収容ユニット１３と配置関係が示してある。図４から明らかなように、極めて扁平に形成された本発明に基づくチップカード用収容ユニット１３は、タコグラフ１のベースプレート７８とチップカード１８の挿入平面との間の比較的に低い構成高さを可能にし、その結果、タコグラフ１の限られた構成高さが良好に活用される。この場合、カードホルダー２６の、制御スライダー４７に向けられた側へ延長されたねじボルト２７，２８，２９，３０は、ベースプレート７８に対するスペーサとして役立っている。符号７９は、ねじの１つを表しており、ねじを用いてチップカード用収容ユニット１３をプリント回路基板１２に取り付けてある。符号８０はタコグラフ１の構成ケーシングの側壁を表している。
【００１９】
次に図５及び図６を用いて、本発明に基づくチップカード用収容ユニット１３の機能を説明する。チップカード用収容ユニットはタコグラフ内には一般的に２つ使用される。図５及び図６はそれぞれ、図２に関連して機能部材の終端位置での下面図である。図５の機能位置ではチップカード１８は取り出し位置にあり、該取り出し位置へ制御スライダー４７によって、若しくは制御スライダー４７に形成された連行部４８，４９によって移動させられている。この場合に制御スライダー４７は、付加部７３に係合しているモータ作動可能な押し棒８１の作用を受けており、押し棒はチップカード１８を取り出し位置へ移動させた後に再び出発位置へ戻され、その結果、チップカード用収容ユニット１３はチップカード１８の新たな差し込みのために、若しくは運転手と運転助手との交代の場合にはチップカード１７の差し込みのために開放されている。
【００２０】
前述の機能状態では係止部材２４，２５、若しくは係止部材の端部４２，４３は、チップカード１８の、フロントプレート２の案内スリット１１及びカードホルダー２６に形成されたカードシャフトによって規定された運動スペースの外側にある。脚ばね６８の、係止部材２４，２５に係合していて切欠き部７０，７１の凹み部８２，８３内を運動する脚部８４，８５は、滑子案内区分５２，５３によって規定された行程まで外側へ旋回させられて、締め付けられており、制御スライダー４７は、制御スライダー４７の案内に対して傾斜して延びる滑子案内区分５２，５３に基づき脚ばね６８の脚部８４，８５の作用下で連行部４８，４９を介してカードホルダー２６に当接している。
【００２１】
前記過程とは逆にチップカード用収容ユニット１３の開放位置においてチップカード１８を、カードホルダー２６のベース３１及び側壁３２，３３並びに押さえ付け部材３４によって形成されたカードシャフト内に差し込むと、図５に示す機能状態の達成の後に、制御スライダー４７は連行部４８，４９を介してチップカード１８によって連行されて、チップカード１８はプリント回路基板１２に配置されたストッパ（図示省略）若しくはチップカード１８に対応する接触付加部に配置されたストッパ（図示省略）と当接するようになり、この場合に、チップカード１８がストッパに当接していること、即ちチップカード１８が読み取り及び／又は書き込み位置内にあることは、耳片４４で制御されたライトバリアーの信号によって示される。制御スライダー４７の連行中に、連行ピン５８，５９は滑子案内区分５４，５５内に達して、係止部材２４，２５は次のように移動させられ、即ち係止部材のフック状の端部４２，４３はチップカード１８の端面を被う。この場合に図６から明らかなように、互いに伝達可能に連結された構成部分は互いに次のように適合されており、即ち係止部材２４，２５がストッパに当接するチップカード１８をほぼ遊びのないように被っていて、これによってチップカード１８を読み取り及び／又は書き込み位置に確保している。このことは、制御スライダー４７が押し棒８１によるチップカード１８の押し出しに際して、所定の行程「ａ」を行ってまず係止部材２４，２５を移動させ、次いで連行部４８，４９を介してチップカード１８を連行するようになっていることを意味している。さらに、脚ばね６８が次のように形成されており、即ち脚ばねが、読み取り及び／又は書き込み位置内へのチップカードの差し込みに依存することなく、自動的に制御スライダー４７の前記行程を生ぜしめて、係止部材２４，２５をチップカード１８の前へ移動させ得るようになっていることを意味している。逆に、係止部材２４，２５とストッパに当接しているチップカード１８との間には、チップカード１８の押し出し並びに係止部材２４，２５の移動を行う際に衝突を避けるために十分な間隔を必要である。チップカード１８自体は押さえ付け部材３４によって読み取り及び／又は書き込み位置では十分に固定されているので、脚ばね６８は係止部材２４，２５及び制御スライダー４７の振動を十分に防止できる程度に形成されていればよく、場合によっては脚ばね６８は省略されてもよい。
【図面の簡単な説明】
【００２２】
【図１】本発明に基づくチップカード用収容ユニットの組み込まれたタコグラフの正面図
【図２】チップカード用収容ユニットの斜視図
【図３】図２のチップカード用収容ユニットを背面若しくは下側から見た分解斜視図
【図４】タコグラフのチップカード用収容ユニットの部分断面図
【図５】チップカード用収容ユニットの、チップカードが取り出し位置にある状態での下面図
【図６】チップカード用収容ユニットの、チップカードが読み取り若しくは書き込み位置にある状態での下面図
【符号の説明】
【００２３】
１  タコグラフ、  ２  フロントパネル、  １０，１１  案内スリット、  １２  プリント回路基板、  １３  チップカード用収容ユニット、  １４，１５  切欠き部、  １６  ビード状の突出部、  １７，１８  チップカード、  １９  スリット、  ２０  キー、  ２１  鉛封印、  ２２，２３，２４，２５  係止部材、  ２６  カードホルダー、  ２７，２８，２９，３０  ねじピン、  ３１  ベース（基部）、  ３２，３３  側壁、  ３４  押さえ付け部材、  ３５  位置決めレール、  ３６，３７  保持脚部、  ３８，３９  支承突出部、  ４０  ロッド、４１  補強溝、  ４２，４３  端部、  ４４  耳片（ライトバリアー部分）、  ４５，４６  つめ、  ４７  制御スライダー、  ４８，４９  連行部、  ５０，５１  滑子案内（ガイドスロット）、  ５２，５３，５４，５５  滑子案内区分、  ５６，５７  開口、  ５８，５９  連行ピン、  ６０，６１，６２，６３  案内ピン、  ６４，６５，６６，６７  溝、  ６８  脚ばね、  ６９  ギャップ、  ７０，７１  切欠き部、  ７２  凹所、  ７３  付加部、  ７４，７５  支承ジャーナル、  ７６，７７  導入開口、  ７８  ベースプレート、  ７９  ねじ、  ８０  側壁、  ８１，８２  凹み部、  ８４，８５  脚部
【図１】
2005510784.tif 000003
【図２】
2005510784.tif 000004
【図３】
2005510784.tif 000005
【図４】
2005510784.tif 000006
【図５】
2005510784.tif 000007
【図６】
2005510784.tif 000008
【国際調査報告】
2005510784.tif 000009
2005510784.tif 000010
2005510784.tif 000011
2005510784.tif 000012